(57)【要約】【課題】画像読取部が交換された場合に、交換前の画像読取部の特性に基づく不適切な画像処理が行われることを防止することが可能な画像読取装置及び画像形成装置を提供する。【解決手段】画像読取装置１は、本体部１Ａと、本体部１Ａに対して交換可能な裏面画像読取部４とを備え、裏面画像読取部４は、複数の光電変換素子を有する裏面用ラインセンサ部４２及び個体識別情報記録部４５を有し、本体部１Ａは、裏面用ラインセンサ部４２の特性情報を記憶する特性情報記憶部１２３と、個体識別情報記録部４５の個体識別情報を記憶する第１の個体識別情報記憶部１２１と、初期化時に個体識別情報記録部４５から取得した個体識別情報と第１の個体識別情報記憶部１２１に記憶されていた個体識別情報とが不一致であったとき、特性情報記憶部１２３の内容を予め定められた内容に置換する特性情報置換手段１０２とを有する。【選択図】図３
2012104930.tif 000002
【特許請求の範囲】
【請求項１】
本体部と、
前記本体部に対して交換可能な画像読取部とを備え、
前記画像読取部は、原稿から画像情報を読み取るための複数の光電変換素子を有する光電変換部と、前記画像読取部の個体識別情報が記録された記録部とを有し、
前記本体部は、
前記光電変換部の特性を示す特性情報を記憶する特性情報記憶部と、
前記画像読取部の個体識別情報を記憶する個体識別情報記憶部と、
電源が投入された後の初期化時に前記画像読取部の記録部から取得した個体識別情報と前記個体識別情報記憶部に記憶されていた個体識別情報とが不一致であったとき、前記特性情報記憶部に記憶された前記特性情報を予め定められた内容に置き換える特性情報置換手段と
を有する画像読取装置。
【請求項２】
前記本体部は、前記初期化時に前記画像読取部の記録部から取得した個体識別情報と前記個体識別情報記憶部に記憶されていた個体識別情報とが不一致であったとき、前記画像読取部の記録部から取得した個体識別情報を前記個体識別情報記憶部に記憶するとともに、前記個体識別情報記憶部に記憶されていた個体識別情報を交換前の画像読取部の個体識別情報として記憶する記憶制御手段を有する請求項１に記載の画像読取装置。
【請求項３】
原稿から画像情報を読み取る請求項１又は２に記載の画像読取装置と、
前記画像読取装置によって読み取られた画像情報に基づいて感光体を露光することにより前記感光体上に静電潜像を形成する露光部と、
前記感光体上に形成された静電潜像を現像してトナー像を形成する現像部と、
前記トナー像を用紙に転写する転写部と、
前記用紙に転写された前記トナー像を定着させる定着部とを備えた画像形成装置。
【発明の詳細な説明】
【技術分野】
【０００１】
本発明は、画像読取装置及び画像形成装置に関する。
【背景技術】
【０００２】
従来、複数の光電変換素子を主走査方向に並列してなるラインセンサに対し、副走査方向に原稿を相対的に移動させて原稿画像の読み取りを行う画像読取装置がある。この種の画像読取装置では、ラインセンサによって白基準部材を読み取った際の光電変換素子の出力をサンプリングして白基準データとして記憶しておき、原稿の画像を読み取る際には、光電変換素子の出力を白基準データに基づいて補正（シェーディング補正）することが行われている（例えば、特許文献１参照）。
【０００３】
特許文献１に記載の画像読取装置は、白基準データのサンプリングを行う際に工場出荷時に取り込んでいた白基準データとの比較処理を行い、値が大きく異なる欠陥データが含まれていた場合には、その欠陥データの部分を工場出荷時に取り込んでいた白基準データに置換するように構成されている。
【先行技術文献】
【特許文献】
【０００４】
【特許文献１】特開２０００−３２２６２号公報
【発明の概要】
【発明が解決しようとする課題】
【０００５】
本発明の目的は、画像読取部が交換された場合に、交換前の画像読取部の特性に基づく不適切な画像処理が行われることを防止することが可能な画像読取装置及び画像形成装置を提供することにある。
【課題を解決するための手段】
【０００６】
［１］本体部と、前記本体部に対して交換可能な画像読取部とを備え、前記画像読取部は、原稿から画像情報を読み取るための複数の光電変換素子を有する光電変換部と、前記画像読取部の個体識別情報が記録された記録部とを有し、前記本体部は、前記光電変換部の特性を示す特性情報を記憶する特性情報記憶部と、前記画像読取部の個体識別情報を記憶する個体識別情報記憶部と、電源が投入された後の初期化時に前記画像読取部の記録部から取得した個体識別情報と前記個体識別情報記憶部に記憶されていた個体識別情報とが不一致であったとき、前記特性情報記憶部に記憶された前記特性情報を予め定められた内容に置き換える特性情報置換手段とを有する画像読取装置。
【０００７】
［２］前記本体部は、前記初期化時に前記画像読取部の記録部から取得した個体識別情報と前記個体識別情報記憶部に記憶されていた個体識別情報とが不一致であったとき、前記画像読取部の記録部から取得した個体識別情報を前記個体識別情報記憶部に記憶するとともに、前記個体識別情報記憶部に記憶されていた個体識別情報を交換前の画像読取部の個体識別情報として記憶する記憶制御手段を有する前記［１］に記載の画像読取装置。
【０００８】
［３］原稿から画像情報を読み取る前記［１］又は［２］に記載の画像読取装置と、前記画像読取装置によって読み取られた画像情報に基づいて感光体を露光することにより前記感光体上に静電潜像を形成する露光部と、前記感光体上に形成された静電潜像を現像してトナー像を形成する現像部と、前記トナー像を用紙に転写する転写部と、前記用紙に転写された前記トナー像を定着させる定着部とを備えた画像形成装置。
【発明の効果】
【０００９】
請求項１又は３に記載の発明によれば、画像読取部が交換された場合に、交換前の画像読取部の特性に基づく不適切な画像処理が行われることを防止することが可能となる。
【００１０】
請求項２に記載の発明によれば、交換前に装着されていた画像読取部を特定することが可能となる。
【図面の簡単な説明】
【００１１】
【図１】図１は、本発明の第１の実施の形態に係る画像読取装置の構成例を示す図である。
【図２】図２（ａ）は、裏面用ラインセンサ部の構成例を示す正面図、図２（ｂ）は、図２（ａ）の一部拡大図である。
【図３】図３は、裏面画像読取部の構成、及び本体部における制御系の概略構成を示すブロック図である。
【図４】図４は、画像読取装置における制御部の処理手順の一例を示すフローチャートである。
【図５】図５は、本発明の第２の実施の形態に係る画像形成装置の構成例を示す図である。
【発明を実施するための形態】
【００１２】
［第１の実施の形態］
以下、本発明の実施の形態について図面を参照して説明する。なお、各図中、実質的に同一の機能を有する構成要素については、同一の符号を付してその重複した説明を省略する。
【００１３】
図１は、本発明の第１の実施の形態に係る画像読取装置の構成例を示す図である。
【００１４】
この画像読取装置１は、原稿２０を給紙台２１から排紙台２２まで搬送する原稿搬送部２と、原稿２０の表面２０ａの画像を光学的に読み取る表面画像読取部３と、原稿２０の裏面２０ｂの画像を光学的に読み取る裏面画像読取部４とを備える。原稿搬送部２は、ＡＤＦ（Auto Document Feeder：自動原稿送り装置）とも呼ばれている。
【００１５】
原稿搬送部２及び裏面画像読取部４は、原稿配置台３６に対して開閉可能な原稿カバー２４に設けられている。裏面画像読取部４は、原稿カバー２４から取り外して交換することが可能である。以下、画像読取装置１の構成要素のうち、裏面画像読取部４を除く部分を本体部という。
【００１６】
また、画像読取装置１は、読取方式として、原稿配置台３６上の原稿２０に対して、光学系のキャリッジ３７Ａ、３７Ｂを副走査方向Ａに移動させて原稿２０から画像を読み取る「第１の読取方式」と、表面画像読取部３の光学系のキャリッジ３７Ａ、３７Ｂに対して原稿２０を原稿搬送部２により副走査方向Ａに搬送させて原稿２０から画像を読み取る「第２の読取方式」とを有する。第１の読取方式は、プラテンスキャン方式とも呼ばれ、第２の読取方式は、ＣＶＴ（Constant Velocity Transport：原稿定速搬送）方式とも呼ばれている。
【００１７】
また、画像読取装置１は、読取モードとして、原稿２０の表面２０ａから画像を読み取る「片面モード」、及び原稿２０の表面２０ａと裏面２０ｂの両方から画像を読み取る「両面モード」を有する。
【００１８】
（原稿搬送部）
原稿搬送部２は、画像が記録された原稿２０が配置される給紙台２１と、搬送された原稿２０が排出される排紙台２２と、原稿２０を給紙台２１から排紙台２２へ搬送する搬送機構２３と、給紙台２１上の原稿２０を検出する紙センサ２５とを備える。
【００１９】
搬送機構２３は、給紙台２１に配置された複数の原稿２０の束から原稿２０を１枚ずつ分離する分離ロール２３０と、分離した原稿２０を搬送する搬送ロール２３１と、原稿２０を第１の読取領域３ａに搬送する読取ロール２３２と、原稿２０を裏面画像読取部４に案内する案内ロール２３３と、原稿２０を排紙台２２に排出する排出ロール２３４とを備える。
【００２０】
（表面画像読取部）
表面画像読取部３は、照明光を発生する左右一対の白色ＬＥＤランプ等による光源３０Ａ、３０Ｂと、光源３０Ａ、３０Ｂからの照明光を第１又は第２の読取領域３ａ、３ｂに導く導光体３１と、光源３０Ａ、３０Ｂからの照明光が第１又は第２の読取領域３ａ、３ｂにおける原稿２０の表面２０ａで反射した反射光を反射する第１乃至第３のミラー３２Ａ〜３２Ｃと、第１乃至第３のミラー３２Ａ〜３２Ｃに導かれた反射光を集光する縮小光学系のレンズ３３と、レンズ３３により集光された光を受光する受光部の一例である表面読取用のＣＣＤ(Charge Coupled Device)３４とを備える。
【００２１】
また、表面画像読取部３は、光源３０Ａ、３０Ｂ、導光体３１、第１乃至第３のミラー３２Ａ〜３２Ｃ、レンズ３３及び表面用ラインセンサ部３４を収容する筐体３５を有し、筐体３５の上部にはガラス等の光透過性部材からなる原稿配置台３６を設けている。
【００２２】
光源３０Ａ、３０Ｂ、導光体３１及び第１のミラー３２Ａは、副走査方向Ａに移動可能な第１のキャリッジ３７Ａに固定され、第２のミラー３２Ｂ及び第３のミラー３２Ｃは、第２のキャリッジ３７Ｂに固定されている。原稿配置台３６上の原稿面から表面用ラインセンサ部３４の受光面までの光路長が常に一定に保持されるように、第２のキャリッジ３７Ｂは、第１のキャリッジ３７Ａの１／２の移動量で副走査方向Ａに移動可能に構成されている。
【００２３】
また、第１及び第２のキャリッジ３７Ａ、３７Ｂは、「第１の読取方式」により原稿配置台３６に配置された原稿２０の表面２０ａの画像を読み取る場合には、図１に示す位置をホームポジションとし、不図示のモータにより副走査方向Ａに移動するように構成されている。一方、「第２の読取方式」が選択された場合には、第１及び第２のキャリッジ３７Ａ、３７Ｂを図１に示す位置に固定し、原稿搬送部２の搬送機構２３によって原稿２０を第１の読取領域３ａにおいて副走査方向Ａに移動させる。
【００２４】
原稿配置台３６の第１の読取領域３ａの両端部には、第１及び第２の白基準板３８Ａ、３８Ｂが設けられ、第２の読取領域３ｂの近傍には主走査方向Ｂに沿って第３の白基準板３８Ｃが設けられている。
【００２５】
（裏面画像読取部）
裏面画像読取部４は、白色の照明光を発生する光源４０と、光源４０からの照明光が原稿２０の裏面２０ｂで反射した反射光を集光する等倍光学系のロッドレンズアレイ４１と、ロッドレンズアレイ４１により集光された反射光を受光し、原稿２０から画像情報を読み取る光電変換部としての裏面用ラインセンサ部４２と、裏面用ラインセンサ部４２が実装された基板４３と、原稿２０の搬送路を介してロッドレンズアレイ４１に対向して配置された白基準板４４とを備え、これらの部材をケース４ａに収容して構成されている。
【００２６】
光源４０は、例えば蛍光ランプ、キセノンランプや、主走査方向に沿って配列された複数のＬＥＤ（Light Emitting Diode）等の白色光を発する発光体を用いることができる。
【００２７】
裏面用ラインセンサ部４２は、例えば複数のＣＣＤ(Charge Coupled Device)素子からなる光電変換素子を用いることができるが、これに限られるものではなく、ＣＭＯＳ(Complementary Metal-Oxide Semiconductor)等の他の光電変換素子で構成してもよい。
【００２８】
白基準板４４は、例えば白色の樹脂板、白塗装された金属板等を用いることができる。
【００２９】
図２は、裏面用ラインセンサ部４２の構成例を示す概略図であり、（ａ）は裏面用ラインセンサ部４２の一端部を、（ｂ）は裏面用ラインセンサ部４２の部分拡大図を示す。裏面用ラインセンサ部４２は、複数（例えば２４個）の光電変換素子アレイ４２０を主走査方向Ｂに沿って配列して構成されている。
【００３０】
それぞれの光電変換素子アレイ４２０は、第１〜第３の光電変換素子列４２１Ｒ，４２１Ｇ，４２１Ｂを有している。第１〜第３の光電変換素子列４２１Ｒ，４２１Ｇ，４２１Ｂは、互いに平行かつ副走査方向Ａに間隔ｄをもって並んで配置されている。
【００３１】
第１の光電変換素子列４２１Ｒは、主走査方向Ｂに沿って配置された複数（例えば３０５個）の光電変換素子４２２Ｒからなる。第２光電変換素子列４２１Ｇは、同じく主走査方向Ｂに沿って配置された複数の光電変換素子４２２Ｇからなる。また、第３光電変換素子列４２１Ｂは、同じく主走査方向Ｂに沿って配置された複数の光電変換素子４２２Ｂからなる。
【００３２】
第１の光電変換素子列４２１Ｒは、その複数の光電変換素子４２２Ｒの受光面を覆うように赤色成分の光を透過させる赤色フィルタ４２３Ｒが配置され、光源４０（図１参照）の照明光が原稿２０の裏面２０ｂで反射した反射光を受光して、その赤色成分の光を光電変換し、光量に応じた電荷を蓄積する。
【００３３】
第２の光電変換素子列４２１Ｇは、その複数の光電変換素子４２２Ｇの受光面を覆うように緑色成分の光を透過させる緑色フィルタ４２３Ｇが配置され、光源４０の照明光が原稿２０の裏面２０ｂで反射した反射光を受光して、その緑色成分の光を光電変換し、光量に応じた電荷を蓄積する。
【００３４】
第３の光電変換素子列４２１Ｂは、その複数の光電変換素子４２２Ｂの受光面を覆うように青色成分の光を透過させる青色フィルタ４２３Ｂが配置され、光源４０の照明光が原稿２０の裏面２０ｂで反射した反射光を受光して、その青色成分の光を光電変換し、光量に応じた電荷を蓄積する。
【００３５】
（制御系）
図３は、裏面画像読取部４の構成、及び裏面画像読取部４で読み取った画像情報の処理のための本体部１Ａにおける制御系の概略構成を示すブロック図である。このブロック図では、表面用ラインセンサ部３４で読み取った原稿２０の表面２０ａの画像処理等を行うブロックについては図示を省略しているが、表面２０ａの画像についても裏面２０ｂの画像と同様の処理を行うことが可能である。
【００３６】
画像読取装置１は、本体部１Ａと、本体部１Ａに対して交換可能な裏面画像読取部４とを備えている。本体部１Ａと裏面画像読取部４とは、着脱可能なケーブル８により接続されている。
【００３７】
裏面画像読取部４の基板４３には、裏面ラインセンサ部４２を構成する複数の光電変換素子アレイ４２０の他に、各光電変換素子アレイ４２０の出力に応じた信号を本体部１Ａに送信するドライバ４２４、及び個体識別情報記録部４５が実装されている。個体識別情報記録部４５は、裏面ラインセンサ部４２と組み合わせて設けられており、裏面画像読取部４の交換時には、裏面ラインセンサ部４２と個体識別情報記録部４５とが共に装着又は取り外しされる。
【００３８】
個体識別情報記録部４５には、工場で製造されるそれぞれの裏面画像読取部４ごとに異なるシリアル番号の情報（個体識別情報）が記録されている。この個体識別情報記録部４５は、例えばＥＥＰＲＯＭ（Electrically Erasable and Programmable Read Only Memory）等の不揮発性メモリを用い、シリアル番号を電気的に書き込むことにより実現することができるが、ディップスイッチのようなメモリ以外の回路部品によりシリアル番号を記録してもよい。
【００３９】
裏面画像読取部４のケース４ａには、コネクタ４６が設けられ、このコネクタ４６にケーブル８の一端が接続されている。ケーブル８の他端は、本体部１Ａに設けられたコネクタ１００に接続されている。
【００４０】
本体部１Ａは、ＣＰＵ（Central Processing Unit）等の演算処理装置により実現される制御部１０と、制御部１０からの信号に基づいて各部の動作を制御する駆動制御部１１と、ＥＥＰＲＯＭやフラッシュメモリ等の不揮発性メモリやＨＤＤ（Hard disk drive）等により実現される記憶部１２とを備えている。
【００４１】
また、本体部１Ａは、裏面画像読取部４からの画像読取結果を示す信号を処理するための処理回路として、サンプリングホールド（ＳＨ）回路１３と、ＳＨ回路１３の出力信号を増幅する増幅回路１４と、増幅回路１４の出力信号をデジタル画像データに変換するＡ／Ｄ変換回路１５と、Ａ／Ｄ変換回路１５により得られたデジタル画像データに対し補正を行う補正回路１６と、画像処理部１７と、画像処理後の画像データを記憶する画像データ記憶部１８とを備える。画像データ記憶部１８に記憶された画像データは、必要に応じて外部に出力される。また、補正回路１６の処理内容については後述する。
【００４２】
制御部１０は、記憶部１２に記憶された制御プログラム１２０に従って動作することにより、判定手段１０１、特性情報置換手段１０２、記憶制御手段１０３等として機能する。制御部１０が実行する処理の内容については後述する。
【００４３】
駆動制御部１１は、タイミングジェネレータ１１０と、読取駆動部１１１と、搬送駆動部１１２とを有している。タイミングジェネレータ１１０は、制御部１０からの指令信号に応じて、読取駆動部１１１及び搬送駆動部１１２を同期して動作させる。
【００４４】
読取駆動部１１１はケーブル８を介して裏面画像読取部４に水平転送信号及び垂直転送信号を出力する。垂直転送信号は、各光電変換素子アレイ４２０の各光電変換素子に蓄積された電荷を図略のシフトレジスタに転送させる信号である。水平転送信号は、シフトレジスタに転送された電荷に応じた信号をドライバ４２４から送信させる信号である。
【００４５】
搬送駆動部１１２は、原稿搬送部２の各ローラの駆動源である図略のモータに電流を供給し、原稿搬送部２を駆動する。
【００４６】
記憶部１２は、制御プログラム１２０と、第１の個体識別情報記憶部１２１と、第２の個体識別情報記憶部１２２と、特性情報記憶部１２３と、シェーディング補正データ記憶部１２４とを有している。
【００４７】
第１の個体識別情報記憶部１２１には、画像読取装置１の工場出荷前において、裏面画像読取部４が接続された状態で最初に電源が投入された際に、裏面画像読取部４の個体識別情報記録部４５から読み出した個体識別情報が記憶されている。
【００４８】
第２の個体識別情報記憶部１２２は、故障等により裏面画像読取部４が交換された場合に、交換前の裏面画像読取部４の個体識別情報、すなわち裏面画像読取部４の交換があったとこを検知したときに第１の個体識別情報記憶部１２１に記憶されていた個体識別情報を記憶する領域である。
【００４９】
特性情報記憶部１２３には、工場において画像読取装置１を組み立てた後の校正作業時に設定された裏面画像読取部４の特性を示す特性情報が記憶されている。この特性情報は、各受光素子アレイ４２０の各光電変換素子４２２Ｒ，４２２Ｇ，４２２Ｂの光電変換効率のばらつきや、赤色フィルタ４２３Ｒ，緑色フィルタ４２３Ｇ，青色フィルタ４２３Ｂの光透過率のばらつき等を補正するために、補正回路１６において用いられるデータである。
【００５０】
より詳細には、特性情報記憶部１２３には、校正用の白基準シートを原稿搬送部２によって搬送しながら裏面ラインセンサ部４２で読み取った読取結果に基づくシェーディング補正データ、基準となる色が印刷された色基準シートを裏面ラインセンサ部４２で読み取った読取結果に基づく色味ばらつき調整データ、裏面ラインセンサ部４２の主走査方向及び副走査方向の詳細な取付位置を示す情報、及び裏面画像読取部４による原稿２０の読み取り倍率を示す情報等が記憶されている。これらの情報は、画像読取装置１の製造工程の最終段階で、作業者による校正作業において設定される。
【００５１】
シェーディング補正データ情報記憶部１２４は、使用環境におけるユーザによる画像読取装置１への電源投入後の初期化時に、裏面ラインセンサ部４２によって白基準板４４を読み取ることにより生成したシェーディング補正データを記憶する領域である。
【００５２】
この記憶部１２に記憶された各種情報に基づいて、制御部１０の判定手段１０１、特性情報置換手段１０２、及び記憶制御手段１０３は、次のように処理を行う。
【００５３】
判定手段１０１は、画像読取装置１に電源が投入された後の初期化時に裏面画像読取部４の個体識別情報記録部４５からケーブル８を介して個体識別情報を取得し、記憶部１２の第１の個体識別情報記憶部１２１に記憶された個体識別情報と照合して、一致か不一致かを判定する。
【００５４】
特性情報置換手段１０２は、判定手段１０１の判定結果が不一致であったとき、記憶部１２の特性情報記憶部１２３に記憶された裏面画像読取部４の特性情報を予め定められた内容に置きかえる。この置換により新たに特性情報記憶部１２３に記憶されるデータは、定数（例えば０）であってもよく、記憶部１２に予め記憶された初期設定値であってもよい。
【００５５】
記憶制御手段１０３は、判定手段１０１の判定結果が不一致であったとき、裏面画像読取部４の個体識別情報記録部４５から取得した個体識別情報を第１の個体識別情報記憶部１２１に記憶するとともに、第１の個体識別情報記憶部１２１に記憶されていた個体識別情報を交換前の画像読取部の個体識別情報として第２の個体識別情報記憶部１２２に記憶する。
【００５６】
また、補正回路１６は、Ａ／Ｄ変換回路１５で生成されたデジタル画像データに対し、記憶部１２の特性情報記憶部１２３及びシェーディング補正データ情報記憶部１２４に記憶された情報に基づいて、各光電変換素子４２２Ｒ，４２２Ｇ，４２２Ｂの光電変換効率（感度）や光源４０の光量分布のばらつきに対応したシェーディング補正、白目標値調整用のデータに基づく色味ばらつきの補正、裏面ラインセンサ部４２の取付位置の情報及び原稿画像の読み取り倍率の情報に基づく読み取り位置の座標の補正等の補正処理を行う。これらの補正処理は、ＡＳＩＣ（Application Specific IC）等のハードウェアによって行ってもよく、プログラムよるソフトウェア処理によって行ってもよい。
【００５７】
（第１の実施の形態の動作）
次に、第１の実施の形態の動作を図４を参照して説明する。
図４は、制御部１０が実行する処理手順の一例を示すフローチャートである。
【００５８】
制御部１０は、画像読取装置１に電源が投入された後、原稿２０の画像の読み取りが可能な状態となる前に実行する初期化処理において、図４に示すステップＳ１０からＳ１４、又はステップＳ１７からＳ１９の処理を行う。
【００５９】
制御部１０は、電源が投入されると、裏面画像読取部４の個体識別情報記録部４５にアクセスし、個体識別情報記録部４５に記録されている裏面画像読取部４の個体識別情報を取得する（Ｓ１０）。
【００６０】
次に制御部１０は、ステップＳ１０で取得した個体識別情報が、記憶部１２の第１の個体識別情報記憶部１２１に記憶されている個体識別情報と一致するか否かを判定する（Ｓ１１）。
【００６１】
この判定の結果が「一致」の場合（Ｓ１１：Ｙｅｓ）、制御部１０は、駆動制御部１１に指令信号を出力し、読取駆動部１１１の制御によって裏面画像読取部４の光源４０を発光させ、裏面用ラインセンサ部４２によって白基準板４４で光源４０の照明光が反射した反射光を読み取り、その読み取り結果の情報に基づいて記憶部１２のシェーディング補正データ記憶部１２４にシェーディング補正データを記憶する（Ｓ１２）。
【００６２】
次に制御部１０は、ステップＳ１２でシェーディング補正データ記憶部１２４に記憶したシェーディング補正データと、特性情報記憶部１２３に記憶されている工場出荷時におけるシェーディング補正データとを比較し（Ｓ１３）、両データに予め定められた閾値以上の差異があるか否かを判定する（Ｓ１４）。
【００６３】
この判定の結果、閾値以上の差異があれば（Ｓ１４：Ｙｅｓ）、制御部１０がユーザへの異常報知等の異常処理を行う。この場合には、原稿２０の画像の読み取りが不能となる。
【００６４】
また、ステップＳ１４の判定の結果、閾値以上の差異がなければ（Ｓ１４：Ｎｏ）、制御部１０は通常の画像読み取り処理（通常処理）を行う（Ｓ１６）。なお、白基準板４４に付着した異物や汚れ等により、ステップＳ１４の閾値未満のシェーディング補正データの差異がある場合には、その差異のあった部分のシェーディング補正データを特性情報記憶部１２３に記憶されているシェーディング補正データに置き換え、以降の原稿２０の画像読み取り処理を行ってもよい。
【００６５】
一方、ステップＳ１１の判定で、「不一致」と判定された場合（Ｓ１１：Ｎｏ）には、制御部１０は、第１の個体識別情報記憶部１２１に記憶されている個体識別情報を読み出して第２の個体識別情報記憶部１２２に格納する（Ｓ１７）。なお、ステップＳ１１の判定で不一致と判定されるのは、裏面画像読取部４が交換された場合であると考えられる。
【００６６】
次に、制御部１０は、ステップＳ１０で個体識別情報記録部４５から取得した個体識別情報を第１の個体識別情報記憶部１２１に格納する（Ｓ１８）。
【００６７】
次に、制御部１０は、記憶部１２の特性情報記憶部１２３に記憶されている工場出荷時のシェーディング補正データ等の情報を、予め定められた値に置き換える（Ｓ１９）。
【００６８】
このステップＳ１９の処理の後、制御部１０は、校正処理を行うべきことを示す信号を出力し、サービスエンジニア等の作業者による作業によって、新たに本体部１Ａに装着された裏面画像読取部４の校正を行う校正処理モードに移行する（Ｓ２０）。
【００６９】
この校正処理では、制御部１０が画像読取装置１を再起動し、その後作業者が裏面画像読取部４の校正のための各種基準シートを読み取らせる等、工場における校正時に行われる作業と同様の作業を行う。制御部１０は、その読み取り結果の情報等に基づいて、各種の補正用のデータを生成し、記憶部１２の特性情報記憶部１２３に記憶する。そして、以降の画像読み取り時には、新たに特性情報記憶部１２３に記憶した情報に基づいて補正回路１６による補正処理が実行される。
【００７０】
制御部１０が実行する上記の各ステップの処理のうち、ステップＳ１１の処理は、制御部１０が判定手段１０１として実行する処理である。また、ステップＳ１７及びＳ１８の処理は、制御部１０が記憶制御手段１０３として実行する処理である。また、ステップＳ１９の処理は、制御部１０が特性情報置換手段１０２として実行する処理である。
【００７１】
このように、裏面画像読取部４が交換された際は、制御部１０の処理によって特性情報記憶部１２３の内容が初期化されるので、作業者の作業によって特性情報記憶部１２３の内容を書き換えてから画像読取装置１を再起動する等の手順が省略される。また、故障の原因調査等のために必要があれば、第２の個体識別情報記憶部１２２を参照することにより、交換前に装着されていた裏面画像読取部４が一意に特定される。
【００７２】
［第２の実施の形態］
図５は、本発明の第２の実施の形態に係る画像形成装置の構成例を示す図である。この画像形成装置５は、上記第１の実施の形態に係る画像読取装置１と、画像形成装置の本体部５Ａとを備える。
【００７３】
画像形成装置の本体部５Ａは、画像読取装置１によって読み取られた原稿画像を記録媒体としての用紙７０に印刷する画像形成部６と、画像形成部６に用紙７０を供給するトレイ部７とを備える。
【００７４】
操作パネル１９には、タッチパネル１９１と、原稿の読取、画像の印刷を指示するスタートボタンや原稿の読取、画像の印刷の停止を指示するストップボタン等の操作ボタン１９２とが設けられている。また、画像読取装置１の制御部１０（図３参照）が出力する校正処理を行うべきことを示す信号に応じて、タッチパネル１９１に校正処理を行うべき旨の表示を行ってもよい。
【００７５】
画像形成部６は、電子写真方式によって原稿画像を用紙に印刷するものであり、循環移動する無端状の中間転写ベルト６０と、中間転写ベルト６０にイエロー（Ｙ），マゼンダ（Ｍ），シアン（Ｃ），ブラック（Ｋ）の各色のトナー画像を転写する第１乃至第４の画像形成ユニット６１Ｙ、６１Ｍ、６１Ｃ、６１Ｋと、画像情報に基づいて変調されたレーザー光を第１乃至第４の画像形成ユニット６１Ｙ、６１Ｍ、６１Ｃ、６１Ｋの後述する感光体ドラム６１０を露光することにより感光体ドラム６１０上に静電潜像を形成する露光部としての光学走査装置６２とを備えている。
【００７６】
各画像形成ユニット６１Ｙ、６１Ｍ、６１Ｃ、６１Ｋは、感光体ドラム６１０と、感光体ドラム６１０の表面を一様に帯電する帯電器６１１と、感光体ドラム６１０の表面に光学走査装置６２によって形成された静電潜像を各色のトナーで現像してトナー画像を形成する現像部としての現像器６１２と、中間転写ベルト６０を感光体ドラム６１０に押し付ける一次転写ローラ６１３とを有している。
【００７７】
中間転写ベルト６０は、不図示のモータに連結された駆動ローラ６３によって駆動され、第１の従動ローラ６４Ａ、第２の従動ローラ６４Ｂ及び中間転写ベルト６０に張力を付与するテンションローラ６５Ａによって形成された循環経路に沿って回転する。
【００７８】
また、画像形成部６は、中間転写ベルト６０を挟んで第２の従動ローラ６４Ｂと対向する位置に配置され、中間転写ベルト６０上に形成されたトナー画像をトレイ部７から供給された用紙に転写する転写部としての二次転写ローラ６６と、用紙に転写されたトナー画像を用紙上に転写する定着部としての定着ユニット６７と、定着ユニット６７を通過した用紙７０を排出台６９に排出する排出ローラ６８とを備えている。
【００７９】
定着ユニット６７は、ヒータを内蔵する定着ローラ６７１と、定着ローラ６７１に対して加圧される加圧ローラ６７２とを備える。
【００８０】
トレイ部７は、向き、大きさ、紙質等の異なる用紙７０をそれぞれ収容する第１乃至第３のトレイ７１〜７３を備える。トレイ部７は、第１乃至第３のトレイ７１〜７３のそれぞれに対応して、格納された用紙７０を取り出すためのピックアップローラ７４Ａ〜７４Ｃと、複数の用紙７０が取り出された場合にそれらを分離する分離ローラ７５Ａ〜７５Ｃと、用紙７０さらに下流側へ搬送するレジローラ７６Ａ〜７６Ｃとを備えている。レジローラ７６Ａ〜７６Ｃは、画像形成部６による画像形成のタイミングに同期して動作し、第１乃至第３のトレイ７１〜７３から取り出した用紙７０を搬送路７７に沿って二次転写ローラ６６と中間転写ベルト６０との間に導くように構成されている。
【００８１】
なお、本発明は上記各実施の形態に限定されず、本発明の要旨を変更しない範囲内で種々に変形実施が可能である。例えば、上記第１の実施の形態では、裏面画像読取部４に本発明を適用した場合について説明したが、これに限らず、表面画像読取部３に本発明を適用することも可能である。
【００８２】
また、第１の実施の形態では、ＳＨ回路１３、増幅回路１４、及びＡ／Ｄ変換回路１５を本体１Ａ側に設けた場合について説明したが、これらの回路は裏面画像読取部４側に設けられていてもよい。
【００８３】
また、第１の実施の形態では、個体識別情報の不一致により裏面画像読取部４の交換があったことを検知した際に特性情報記憶部１２３の内容を初期化し、その後の校正作業により得られた新たな裏面画像読取部４の特性情報を特性情報記憶部１２３に記憶し、以降の画像読み取り時にはこの校正作業に基づく特性情報によってデジタル画像データの補正を行うように画像読取装置１を構成した。しかし、読取画像の画質の劣化が許容される場合には、裏面画像読取部４の交換後に原稿２０の画像を読み取る際に、上記のステップＳ１９で特性情報記憶部１２３に記憶された初期設定値に基づいて補正回路１６によるデジタル画像データの補正を行うようにしてもよい。この場合には、作業者等による校正処理が省略される。
【符号の説明】
【００８４】
１…画像読取装置、１Ａ…本体部、２…原稿搬送部、３…表面画像読取部、３ａ…第１の読取領域、３ｂ…第２の読取領域、４…裏面画像読取部、４ａ…ケース、５…画像形成装置、５Ａ…本体部、６…画像形成部、７…トレイ部、８…ケーブル、１０…ＣＰＵ、１１…駆動制御部、１２…記憶部、１３…サンプリングホールド（ＳＨ）回路、１４…増幅回路、１５…Ａ／Ｄ変換回路、１６…補正回路、１７…画像処理部、１８…画像データ記憶部、１９…操作パネル、２０…原稿、２０ａ…表面、２０ｂ…裏面、２１…給紙台、２２…排紙台、２３…搬送機構、２４…原稿カバー、２５…紙センサ、３０Ａ、３０Ｂ…光源、３１…導光体、３２Ａ〜３２Ｃ…ミラー、３３…レンズ、３４…表面用ラインセンサ部、３５…筐体、３６…原稿配置台、３７Ａ、３７Ｂ…キャリッジ、４０…光源、４１…ロッドレンズアレイ、４２…裏面用ラインセンサ、４３…基板、４４…白基準板、４５…個体識別情報記憶部、４６…コネクタ、６０…中間転写ベルト、６１Ｙ、６１Ｍ、６１Ｃ、６１Ｋ…画像形成ユニット、６２…光学走査装置、６３…駆動ローラ、６４Ａ、６４Ｂ…従動ローラ、６５Ａ…テンションローラ、６６…二次転写ローラ、６７…定着ユニット、６８…排出ローラ、６９…排出台、７０…用紙、７１〜７３…トレイ、７４Ａ〜７４Ｃ…ピックアップローラ、７５Ａ〜７５Ｃ…分離ローラ、７６Ａ〜７６Ｃ…レジローラ、７７…搬送路、１００…コネクタ、１１０…タイミングジェネレータ、１１１…読取駆動部、１１２…搬送駆動部、１２０…制御プログラム、１２１…第１の個体識別情報記憶部、１２２…第２の個体識別情報記憶部、１２３…特性情報記憶部、１２４…シェーディング補正データ記憶部、１９１…タッチパネル、１９２…操作ボタン、２３０…分離ロール、２３１…搬送ロール、２３２…読取ロール、２３３…案内ロール、２３４…排出ロール、４２０…光電変換素子アレイ、４２１Ｒ…第１の光電変換素子列、４２１Ｇ…第２の光電変換素子列、４２１Ｂ…第３の光電変換素子列、４２２Ｒ，４２２Ｇ，４２２Ｂ…光電変換素子、赤色フィルタ…４２３Ｒ、緑色フィルタ…４２３Ｇ、青色フィルタ…４２３Ｂ、４２４…ドライバ、６１０…感光体ドラム、６１１…帯電器、６１２…現像器、６１３…一次転写ローラ、６７１…定着ローラ、６７２…加圧ローラ、Ａ…副走査方向、Ｂ…主走査方向
【図１】
2012104930.tif 000003
【図２】
2012104930.tif 000004
【図３】
2012104930.tif 000005
【図４】
2012104930.tif 000006
【図５】
2012104930.tif 000007